(57)【要約】      （修正有）【課題】様々な発光パターンによる演出が可能な発光型分煙ボードを提供する。【解決手段】隣接して設置された遊技台の境界に設置された発光型分煙ボード１０であって、発光パターンを任意に変更可能な発光部１０２と、発光パターンを設定し、当該設定された発光パターンにしたがい発光部による発光を繰り返し実行させる制御を行う制御部１００と、を有し、制御部は、遊技台から送信される大当たり入力信号又は外部接続スイッチを操作することにより生成される操作入力信号の受信を契機に、設定された発光パターンにしたがい発光部による発光を繰り返し実行させる制御を行う。【選択図】図３
2018114176.tif 000002
【特許請求の範囲】
【請求項１】
遊技台の間柱に、収納、引出し自在に設置された発光型分煙ボードであって、
発光パターンを任意に変更可能な発光部と、
前記発光パターンを設定し、設定された発光パターンにしたがい前記発光部による発光を繰り返し実行させる制御を行う制御部と、を有し、
前記制御部は、
前記遊技台から送信される大当たり入力信号、又は外部接続スイッチを操作することにより生成される操作入力信号の受信を契機に、設定された発光パターンにしたがい前記発光部による発光を繰り返し実行させる制御を行うことを特徴とする発光型分煙ボード。
【請求項２】
シリアル信号線を介して接続された、前段に設置された発光型分煙ボードから前記発光パターンを取り込む入力部と、
前記入力部により取り込まれた発光パターンを、前記シリアル信号線を介して接続された、後段に設置された発光型分煙ボードに出力する出力部と、を備え、
前記制御部は、
前記入力部により取り込まれた発光パターンにしたがい、前記発光部に対し、前記前段に設置された発光型分煙ボードと同期した発光を繰り返し実行させる制御を行うことを特徴とする請求項１に記載の発光型分煙ボード。
【請求項３】
前記シリアル信号線は、
終端に設置された発光型分煙ボードから先頭に設置された発光型分煙ボードにトークンを折り返して送信するループを有することを特徴とする請求項２に記載の発光型分煙ボード。
【請求項４】
前記トークンは、自らが前記発光パターンを設定する親機として動作する発光型分煙ボードであるか否かを示す第１の情報と、前記発光パターンの種類を示す第２の情報とを含み、
前記制御部は、
前記シリアル信号線を介し、前記後段に設置された発光型分煙ボードに前記トークンを巡回させ、自らが親機として動作する発光型分煙ボードであれば、前記ループを介して受信されたトークンから子機として動作する発光型分煙ボードを認識し、前記子機として動作する発光型分煙ボードから、大当たり信号又は操作入力信号を受信すると、前記子機として動作する発光型分煙ボードの発光パターンの設定を個別に変更することを特徴とする請求項３に記載の発光型分煙ボード。
【請求項５】
前記シリアル信号線に接続された発光型分煙ボードのそれぞれは、
前記大当たり信号あるいは前記操作入力信号の受信に依存せず、前記前段に設置された発光型分煙ボードから前記シリアル信号線を介して受信したトークンに応じて前記発光パターンを個別に変更することを特徴とする請求項４に記載の発光型分煙ボード。
【発明の詳細な説明】
【技術分野】
【０００１】
本発明は発光型分煙ボードに関する。
【背景技術】
【０００２】
パチンコやパチスロ等の遊技台が併設された遊技場では、隣で遊技中の遊技者に煙草の煙の影響が及ばないように、隣接する遊技台の間に分煙ボードが設けられている。
【０００３】
例えば、特許文献１に、遊技台と遊技台との間に介設された間柱に収納し引き出す可動式で、取付けが簡単で作業性の良い分煙ボードが記載されている。
【０００４】
また、分煙ボードの透明アクリル板の端面を発光させ、遊技台の大当たり中や確率変動状態を表示する発光型分煙ボードも知られている。この発光型分煙ボードによれば、ホールの島の雰囲気を変えるイルミネーションのようなＬＥＤ（Light  Emitted  Diode）発光機能により遊技空間を華やかに演出することができると共に、ホールスタッフによる遊技者の遊技状態の認知度を向上させることができる。
【先行技術文献】
【特許文献】
【０００５】
【特許文献１】特開２０１５−４３８５７号公報
【発明の概要】
【発明が解決しようとする課題】
【０００６】
ところで、従来の発光型分煙ボードは、遊技台から得られる情報から単に透明アクリル板の端面を発光させるだけの機能にとどまっていた。したがって、例えば、ホールに設置された遊技台の中から強化機種をアピールする、あるいは同じ島に設置された全ての発光型分煙ボードの発光パターンを同期して表示させる等、柔軟性、拡張性が高く、より高い演出効果を実現するための制御がなされていなかった。
【０００７】
本発明は上記した課題を解決するためになされたものであり、発光パターンを適宜変更することにより、柔軟性、拡張性が高く、より演出効果を高める制御が可能な発光型分煙ボードを提供することを目的とする。
【課題を解決するための手段】
【０００８】
（１）上記した課題を解決するために本発明は、遊技台の間柱に、収納、引出し自在に設置された発光型分煙ボードであって、発光パターンを任意に変更可能な発光部と、前記発光パターンを設定し、設定された発光パターンにしたがい前記発光部による発光を繰り返し実行させる制御を行う制御部と、を有し、前記制御部は、前記遊技台から送信される大当たり入力信号、又は外部接続スイッチを操作することにより生成される操作入力信号の受信を契機に、設定された発光パターンにしたがい前記発光部による発光を繰り返し実行させる制御を行うことを特徴とする。
【０００９】
（２）本発明において、シリアル信号線を介して接続された、前段に設置された発光型分煙ボードから前記発光パターンを取り込む入力部と、前記入力部により取り込まれた発光パターンを、前記シリアル信号線を介して接続された、後段に設置された発光型分煙ボードに出力する出力部と、を備え、前記制御部は、前記入力部により取り込まれた発光パターンにしたがい、前記発光部に対し、前記前段に設置された発光型分煙ボードと同期した発光大当りを繰り返し実行させる制御を行うことを特徴とする。
【００１０】
（３）本発明において、前記シリアル信号線は、終端に設置された発光型分煙ボードから先頭に設置された発光型分煙ボードにトークンを折り返して送信するループを有することを特徴とする。
【００１１】
（４）本発明において、前記トークンは、自らが前記発光パターンを設定する親機として動作する発光型分煙ボードであるか否かを示す第１の情報と、前記発光パターンの種類を示す第２の情報とを含み、前記制御部は、前記シリアル信号線を介し、前記後段に設置された発光型分煙ボードに前記トークンを巡回させ、自らが親機として動作する発光型分煙ボードであれば、前記ループを介して受信されたトークンから子機として動作する発光型分煙ボードを認識し、前記子機として動作する発光型分煙ボードから、大当たり信号又は操作入力信号を受信すると、前記子機として動作する発光型分煙ボードの発光パターンの設定を個別に変更することを特徴とする。
【００１２】
（５）本発明において、前記シリアル信号線に接続された発光型分煙ボードのそれぞれは、前記大当たり信号あるいは前記操作入力信号の受信に依存せず、前記前段に設置された発光型分煙ボードから前記シリアル信号線を介して受信したトークンに応じて前記発光パターンを個別に変更することを特徴とする。
【発明の効果】
【００１３】
本発明によれば、発光パターンを適宜変更することにより柔軟性、拡張性が高く、より演出効果を高める制御ができる発光型分煙ボードを提供することができる。
【図面の簡単な説明】
【００１４】
【図１】本発明の実施の形態に係る発光型分煙ボードの外観構造図である。
【図２】実施例１の発光型分煙ボードの接続構成図である。
【図３】実施例１の発光型分煙ボードの制御系の内部構成ブロック図である。
【図４】実施例１のトークンのデータ形式の一例を示す図である。
【図５】実施例１の発光型分煙ボードの発光パターンの一例を示す図である。
【図６】実施例２の発光型分煙ボードの接続構成図である。
【図７】実施例２の発光型分煙ボードの発光パターン定義コマンドを示す図である。
【図８】実施例２の発光型分煙ボード（親機）の動作を示すフローチャートである。
【図９】実施例２の発光型分煙ボード（子機）の動作を示すフローチャートである。
【図１０】実施例２の発光パターンの一例を示す図である。
【図１１】実施例２の発光パターンの他の例を示す図である。
【図１２】実施例２の発光パターンの更に他の例を示す図である。
【発明を実施するための形態】
【００１５】
以下、添付図面を参照して、本発明を実施するための形態（以下、実施形態）について詳細に説明する。以降の図においては、実施形態の説明の全体を通して同じ要素には同じ番号又は符号を付している。
【００１６】
図１（ａ）（ｂ）に外観構造図を示すように、本実施形態に係る発光型分煙ボード１０は、透明アクリル板で構成され、隣接して設置された遊技台の間にある間柱ａに、スライドレールｂを介し、矢印方向に収納され、矢印方向に引出し自在に設置される。図１（ａ）が収納時、図１（ｂ）が引出し時の外観構造を示す。
【００１７】
発光型分煙ボード１０は、透明アクリル板の端面ｃからＬＥＤ光を入光し、対向する端面ｄを発光させる構造になっており、発光型分煙ボード１０の収納、引出しに追従してＬＥＤ実装基板（図示省略）も移動するため、発光型分煙ボード１０がどの位置にあっても発光可能になっている。
【００１８】
本実施形態に係る発光型分煙ボード１０は、後述するシリアル信号線を介して複数数珠繋ぎに接続（ディジーチェイン接続）し、このシリアル信号線を介して送信データである「トークン」を伝播させることにより、例えば、ホールに設置された遊技台の中から強化機種をアピールする、あるいは同じ島に設置された全ての発光型分煙ボード１０の発光パターンを同期して表示させる等、柔軟性、拡張性が高く、より高い演出効果を実現することができる。詳細は後述する。
【００１９】
以下、シリアル信号線によりディジーチェイン接続された発光型分煙ボード１０のうち、終端に設置された発光型分煙ボード１０ｎ（図２）でトークンを終端する例を実施例１、終端に設置された発光型分煙ボード１０ｎ（図２）から先頭に設置された発光型分煙ボード１０ａ（図２）にトークンを折り返して巡回するループを形成する例を実施例２とし、実施例毎のそれぞれの発光型分煙ボード１０の発光制御について詳細に説明する。
【００２０】
（実施例１）
図２に、実施例１の発光型分煙ボード１０の接続構成例を示す。図２に示すように、発光型分煙ボード１０（１０ａ〜１０ｎ）は、各遊技台３０の間柱ａ（図１）に、収納、引出し自在に設置され、島の先頭に設置された発光型分煙ボード１０ａと終端に設置された発光型分煙ボード１０ｎを除いて各遊技台３０の間に介設される。例えば、発光型分煙ボード１０ｂは、遊技台３０ａと遊技台３０ｂの間の間柱ａ（図１）に設置されている。遊技球や遊技メダルを貸し出す台間機２０も発光型分煙ボード１０（１０ａ〜１０ｎ）と同様、遊技台３０の間に設置されている。
【００２１】
遊技台３０から出力される大当たり信号は、信号線１１、分配器５０経由で遊技台３０の上方に配置された呼出ランプ４０と発光型分煙ボード１０に供給される。発光型分煙ボード１０には、更に、信号線１２経由で呼出ランプ４０内に実装される呼出スイッチによる操作入力信号、あるいは発光型分煙ボード１０にそれぞれに実装されるゾーニングスイッチ（ＳＷ）等による操作入力信号も供給される。
【００２２】
また、島の先頭に設置された発光型分煙ボード１０ａは、隣接して設置された発光型分煙ボード１０ｂとはシリアル信号線１３を介して接続され、島の終端に設置された発光型分煙ボード１０ｎに至るまで、順次、ディジーチェイン接続され、終端に設置された発光型分煙ボード１０ｎには図示省略した終端抵抗が接続される。
【００２３】
ここでは、シリアル信号線１３を介した信号入力のない、島の先頭に設置された発光型分煙ボード１０ａが親機として定義され、定義された親機から子機として動作する発光型分煙ボード１０ｂ〜１０ｎ（＃１〜＃ｎ）に対し一定周期で後述するトークンが伝播される。例えば、ゾーニングＳＷがＯＦＦ設定された遊技台３０ａ，３０ｂに対応する各発光型分煙ボード１０ａ，１０ｂは待機状態にあり、ゾーニングＳＷがＯＮ設定された遊技台３０ｃ〜３０ｎの各発光型分煙ボード１０ｃ〜１０ｎは一定の発光パターンで発光演出同期が可能である。
【００２４】
図３に、実施例１の発光型分煙ボード１０（１０ａ，１０ｂ・・・１０ｎ）の制御系の内部構成ブロック図を示す。図３に示すように、実施例１の発光型分煙ボード１０のそれぞれは、いずれも、制御部１００と、記憶部１０１と、発光部１０２と、入力部１０３と、出力部１０４と、を含む。
【００２５】
発光部１０２は、制御部１００により発光パターンが任意に変更可能であり、例えば、１２個のＬＥＤを含む。入力部１０３は、シリアル信号線１３を介して接続された、前段に設置された発光型分煙ボード１０から発光パターンを取り込み、出力部１０４は、入力部１０３により取り込まれた発光パターンを、シリアル信号線１３を介して接続された、後段に設置された発光型分煙ボード１０に出力する。すなわち、入力部１０３と出力部１０４を隣接する発光型分煙ボード１０間で数珠繋ぎに接続することで、親機により設定される発光パターンを含むトークンが伝播する仕組みになっている。
【００２６】
制御部１００は、記憶部１０１の図示省略したプログラム領域に格納されたプログラムにしたがい、発光部１０２に発光パターンを設定し、設定された発光パターンにしたがい発光部１０２による発光を繰り返し実行させる制御を行う。制御部１００は、また、各遊技台３０から送信される大当たり入力信号、又はゾーニングＳＷや呼出スイッチ等の外部接続スイッチを操作することにより生成される操作入力信号の受信を契機に、設定された発光パターンにしたがい発光部１０２による発光を繰り返し実行させる制御を行う。
【００２７】
記憶部１０１にはプログラム領域の他に作業領域も割り当てられており、作業領域には、フラグ領域１０１ａと発光パターン領域１０１ｂとが割り当てられ記憶される。ここで、フラグ領域１０１ａには送信データであるトークンを構成する受領フラグが記憶される。ここで、「受領フラグ」とは、自らが発光パターンを設定する親機として動作する発光型分煙ボード１０であるか否かを示すデータ（第１の情報）である。また、発光パターン領域１０１ｂには親機として動作する発光型分煙ボード１０により設定されるパターンが記憶される。ここで、「パターン」とは、親機により設定される発光パターンの種類を示すコマンド（第２の情報）であり、島に接続される全ての発光型分煙ボード１０毎の発光パターンが格納される。
【００２８】
記憶部１０１には、例えば、ＳＲＡＭ（Static  Random  Access  Memory）、フラッシュメモリ等の書き換え可能なメモリ素子が実装されており、制御部１００に外付けされ、あるいは制御部１００に内蔵されてあってもよい。
【００２９】
なお、各遊技台３０から出力される大当たり信号は、信号線１１を介して分配器５０に出力され、又、ゾーニングＳＷ、呼出スイッチ等の外部接続スイッチからの操作入力信号は、それぞれ信号線４０ａ，４０ｂを介して分配器５０に出力され、制御部１００に供給される。また、分配器５０には、例えば、台間機２０等からの信号線１２を介した予備入力信号も接続されている。
【００３０】
図４（ａ）に、それぞれの発光型分煙ボード１０を伝播するトークンのデータ形式を、図４（ｂ）に、発光パターン領域１０１ｂに設定されるパターン（コマンド）の種類を示す。図４（ａ）に示すように、トークンは、親機あるいは子機として動作する発光型分煙ボード１０毎の受領フラグとパターンとを含む。ここで、親機として動作する発光型分煙ボード１０は、島の先頭（遊技台に向かって左側）に設置された唯一の発光型分煙ボード１０ａとし、この発光型分煙ボード１０ａの後段にディジーチェインにより接続される全ての発光型分煙ボード１０ｂ，１０ｃ，・・・１０ｎが子機として動作するものとする。
【００３１】
パターンは、コマンドで定義され、例えば、図４（ｂ）に示すように、コマンド“０”により消灯状態を設定する。また、コマンド“１”は、待機時（設定時）で白に近い単色発光の表示パターンであり、ゾーニングＳＷをＯＦＦすることにより設定される。コマンド“２”は、大当たり時で、例えば周期５秒のレインボー色点灯の表示パターンを示し、該当の遊技台３０から大当たり信号を受信することにより設定される。また、コマンド“３”は、強化機種アピール時で、例えば、周期６０秒のレインボー色点滅の表示パターンであり、ゾーニングＳＷをＯＮすることにより設定される。また、コマンド“４”は、予備入力のために用意される赤色の単色発光の表示パターンであり、例えば、呼出スイッチによる呼出信号（操作入力信号）により設定される。
【００３２】
実施例１の発光型分煙ボード１０は、制御部１００（図３）が、遊技台３０から送信される大当たり入力信号、又は、ゾーニングＳＷ等の外部接続スイッチを操作することにより生成される操作入力信号の受信を契機に、設定された発光パターンにしたがい発光部１０２による発光を繰り返し実行させる制御を行う。このとき、入力部１０３は、シリアル信号線１３を介して接続された、前段に設置された発光型分煙ボード１０から発光パターンを取り込み、出力部１０４は、入力部１０３により取り込まれた発光パターンを、シリアル信号線１３を介して接続された、後段に設置された発光型分煙ボード１０に出力する。
【００３３】
図５に、発光型分煙ボード１０の発光パターンの一例が示されている。図５（ａ）は、電源投入時等の待機時の白色による発光パターン、図５（ｂ）は、大当たり時のレインボー色による発光パターン、図５（ｃ）は、強化機種アピール時のレインボー色による発光パターン、図５（ｄ）は、予備入力時の単色発光パターンのそれぞれを示す。
【００３４】
図５（ａ）に示す例によれば、ゾーニングＳＷのＯＮを検知した親機（発光型分煙ボード１０ａ）により、受領フラグ“１”、パターン“１”が設定されたトークンが、行方向に示す子機＃１，＃２，＃３，・・，＃ｎの発光型分煙ボード１０（１０ｂ，１０ｃ，・・・１０ｎ）に転送される。そして、ゾーニングＳＷがＯＮ設定された子機（発光型分煙ボード１０ｂ，・・・１０ｎ）のそれぞれは、受信したトークンを参照し、“１”に設定されていない自身の受領フラグを“１”に書き換え、親機により設定されたパターン“１”をディジーチェインにより、順次、後段に設置された子機に伝播する。このことにより、島を構成する発光型分煙ボード１０ａ，１０ｂ，・・・１０ｎのそれぞれが、白色光の単色発光パターンを繰り返し実行する表示制御を行い、ＬＥＤ（発光部１０２）を発光させる。
【００３５】
図５（ｂ）に示す例によれば、大当たり信号を検知した親機（発光型分煙ボード１０ａ）により、受領フラグ“１”、パターン“２”が設定されたトークンが、行方向に示す子機＃１，＃２，＃３，・・，＃ｎの発光型分煙ボード１０（１０ｂ，１０ｃ，・・・１０ｎ）に転送される。そして、子機（発光型分煙ボード１０ｂ，・・・１０ｎ）のそれぞれは、受信したトークンを参照し、“１”に設定されていない自身の受領フラグを“１”に書き換え、親機により設定されたパターン“２”をディジーチェインにより、順次、後段に設置された子機に伝播する。このことにより、島を構成する発光型分煙ボード１０ａ，１０ｂ，・・・１０ｎの全てが周期５秒のレインボー色による発光パターンを繰り返し実行する表示制御を行い、ＬＥＤ（発光部１０２）を発光させることで、該当の島に大当たり機種が存在することをアピールすることができる。
【００３６】
図５（ｃ）に示す例によれば、ゾーニングＳＷのＯＮを検知した親機（発光型分煙ボード１０ａ）により、受領フラグ“１”、パターン“３”が設定されたトークンが、行方向に示す子機＃１，＃２，＃３，・・，＃ｎの発光型分煙ボード１０（１０ｂ，１０ｃ，・・・１０ｎ）に転送される。そして、ゾーニングＳＷがＯＮ設定された子機（発光型分煙ボード１０ｂ，・・・１０ｎ）のそれぞれは、受信したトークンを参照し、設定されていない自身の受領フラグを“１”とし、親機により設定された発光パターン“３”をディジーチェインにより、順次、後段に設置された子機に伝播する。このことにより、島を構成する発光型分煙ボード１０ａ，１０ｂ，・・・１０ｎのうち、ゾーニングＳＷがＯＮになっている子機が、周期６０ｓのレインボー色による発光パターンを繰り返す表示制御を行い、各ＬＥＤ（発光部１０２）を発光させることで強化機種としてのアピールを実現することができる。
【００３７】
図５（ｄ）に示す例によれば、予備入力信号を検知した親機（発光型分煙ボード１０ａ）により、受領フラグ“１”、パターン“４”が設定されたトークンが、行方向に示す子機＃１，＃２，＃３，・・，＃ｎの発光型分煙ボード１０（１０ｂ，１０ｃ，・・・１０ｎ）に転送される。そして、子機（発光型分煙ボード１０ｂ，・・・１０ｎ）のそれぞれは、受信したトークンを参照し、設定されていない自身の受領フラグを“１”とし、親機により設定された発光パターン“４”をディジーチェインにより、順次、後段に設置された子機に伝搬する。このことにより、島を構成する発光型分煙ボード１０ａ，１０ｂ，・・・１０ｎの全てを、単色発光パターンを繰り返し実行する表示制御を行い、各ＬＥＤ（発光部１０２）を発光させることで、例えば、島に呼び出しをしている遊技台３０（遊技者）が存在することをアピールすることができる。
【００３８】
実施例１の発光型分煙ボード１０によれば、制御部１００が、遊技台３０から送信される大当たり入力信号、又は、ゾーニングＳＷ等の外部接続スイッチを操作することにより生成される操作入力信号の受信を契機に、設定された発光パターンにしたがい発光部１０２による発光を繰り返し実行させる制御を行う。このことにより、大当たりした遊技台３０あるいは呼出がなされた遊技台３０をホールスタッフに認知させるのは勿論のこと、ホールに設置された各遊技台３０の中から強化機種をアピールする等、発光パターンを適宜変更することで、柔軟性、拡張性が高く、より演出効果を高める制御が可能になる。また、前段に設置された発光型分煙ボードと同期した発光を繰り返し実行させる制御を行うことにより、一層演出効果が高まる。
【００３９】
（実施例２）
図６は、実施例２の発光型分煙ボード１０の接続構成図である。図６に示すように、親機あるいは子機として動作する発光型分煙ボード１０（１０ａ，１０ｂ，・・・１０ｇ）は、それぞれがシリアル信号線１３ａによりディジーチェイン接続されており、更に、終端に設置された発光型分煙ボード１０ｇ（子機＃６）から先頭に設置された発光型分煙ボード１０ａ（親機）にトークンを折り返して送信するループ１３ｂを有している。
【００４０】
このため、制御部１００は、実施例１が持つ機能に、更に、シリアル信号線１３ａ，１３ｂを介し、後段に設置された発光型分煙ボード１０にトークンを巡回させ、自らが親機として動作する発光型分煙ボード１０ａであれば、ループ１３ｂを介して受信されたトークンから子機として動作する発光型分煙ボード１０ｂ〜１０ｇを認識し、子機として動作する発光型分煙ボード１０ｂ〜１０ｇのいずれからか大当たり信号又は操作入力信号を受信すると、子機として動作する発光型分煙ボード１０ｂ〜１０ｇの発光パターンの設定を個別に変更するための機能が付加される。
【００４１】
このため、図７に発光型分煙ボード１０の発光パターン定義コマンドを示すように、発光パターンとして、実施例１で定義したコマンド０〜４の他に、コマンド“７”と“８”が付加される。コマンド“７”は、大当たり情報（信号）取得を親機に送信する状態を示し、親機から伝播されるパターンを更新することにより実現され、更新前の発光パターンを表示する。また、コマンド“８”は、予備入力情報（信号）取得を親機に送信する状態を示し、親機から伝播されるパターンを更新することにより実現され、更新前の発光パターンを表示する。
【００４２】
なお、シリアル信号線１３ａ，１３ｂに接続された発光型分煙ボード１０のそれぞれは、大当たり信号あるいは操作入力信号の受信に依存せず、前段に設置された発光型分煙ボード１０ｎ−１からシリアル信号線１３ａ，１３ｂを介して受信したトークンに応じて発光パターンを個別に変更してもよい。詳細は後述する。
【００４３】
図８に、親機として動作する発光型分煙ボード１０、図９に子機として動作する発光型分煙ボード１０の動作をフローチャートで示す。
【００４４】
まず、図８のフローチャートを参照しながら親機の動作から説明する。電源投入時、発光型分煙ボード１０は、自身が親機であるか否かを判定する（ステップＳ１０１）。親機であるか否かの判定は、シリアル信号線１３ａを介した信号入力の有無に基づく。すなわち、親機として動作する発光型分煙ボード１０ａは、制御部１００が、シリアル信号線１３ａを介したトークンが存在しない場合に親機として認識し（ステップＳ１０１“ＹＥＳ”）、運用時（待機時）の発光パターン情報を設定すると共に記憶部１０１の発光パターン領域１０１ｂに記憶する（ステップＳ１０２）。
【００４５】
続いて、出力部１０４が、全ての発光型分煙ボードの発光パターン領域１０１ｂにパターン情報を格納したデータを作成し、後段に設置された子機として動作する発光型分煙ボード１０ｂへ送信する（ステップＳ１０３）。続いて、制御部１００は、自身の記憶部１０１の発光パターン領域１０１ｂに格納されたパターン情報に基づき発光部１０２を制御して発光処理を行うことで、格納されたパターン情報に基づく発光を繰り返す（ステップＳ１０４）。
【００４６】
一方、制御部１００は、常時、ループ１３ｂを介し子機＃６として動作する発光型分煙ボード１０ｇから巡回トークン（データ）を受信したか否かを監視している（ステップＳ１０５）。制御部１００は、巡回トークンの受信を契機に（ステップＳ１０５“ＹＥＳ”）、巡回トークンの受領フラグから子機として動作する発光型分煙ボード１０ｂ，１０ｃ，１０ｄ，１０ｅ，１０ｆ，１０ｇの台数“６”を検出し（ステップＳ１０６）、その台数を記憶部１０１の図示省略した作業領域に記憶する（ステップＳ１０７）。
【００４７】
各発光型分煙ボード１０ａ〜１０ｇは、前段に設置された発光型分煙ボード１０ａ〜１０ｇのいずれからか受信したトークンの該当エリアにフラグが“１”に設定されているか否かを判定し、設定されていなければ当該フラグを“１”に設定する。これにより、親機（発光型分煙ボード１０ａ）は配下に何台の子機＃１〜＃６（発光型分煙ボード１０ｂ〜１０ｇ）が接続されているかを確認することができる。
【００４８】
次に、制御部１００は、記憶部１０１の発光パターン領域１０１ｂに格納された全ての発光型分煙ボード１０ａ〜１０ｇの発光パターンから、「７」あるいは「８」のコマンドを持つ発光型分煙ボード１０を検索する（ステップＳ１０８）。ここでヒットした発光型分煙ボード１０ａ〜１０ｇは、内蔵の制御部１００がアピールのための発光処理を実行する（ステップＳ１０９）。なお、アピール発光処理についは、図１１，図１２に示した具体的な発光パターンを用いて後述する。
【００４９】
次に、図９のフローチャートを参照しながら子機の動作について説明する。電源投入時、例えば、子機＃２として動作する発光型分煙ボード１０ｃは、前段に設置された発光型分煙ボード１０ｂからのトークンの受信の有無を監視している（ステップＳ２０１）。ここでトークンの受信を検知すると（ステップＳ２０１“ＹＥＳ”）、子機＃３の制御部１００は、トークンの受領フラグの“０”を検出し、該当する受領フラグ“０”を“１”に書き換える（ステップＳ２０２）。そして、記憶部１０１の該当の受領フラグに対応するパターン領域１０１ｂに発光パターンを記憶し（ステップＳ２０３）、続いて、制御部１００は、自身の記憶部１０１の発光パターン領域１０１ｂに格納されたパターン情報に基づき発光部１０２を制御して発光処理を行うことで格納されたパターン情報に基づく発光を繰り返す（ステップＳ２０４）。
【００５０】
一方、制御部１００は、常時、大当たり信号又は呼出信号入力を監視している（ステップＳ２０５）。ここで、大当たり信号を検出すると、該当の発光パターン領域１０１ｂをコマンド「７」に、呼出信号を検出すると、該当の発光パターン領域１０１ｂをコマンド「８」に書き換える（ステップＳ２０６，Ｓ２０８）。そして、更新したトークンを後段の子機＃２（発光型分煙ボード１０ｃ）に送信し、ステップＳ２０１のトークン受信判定処理に戻る（ステップＳ２０７）。
【００５１】
図１０に、通常発光（待機状態）で子機＃３として動作する発光型分煙ボード１０ｃに大当たり信号が入力された場合の発光パターンの一例が示されている。ここでは、子機＃３（発光型分煙ボード１０ｄ）が、大当たり信号を親機（発光型分煙ボード１０ａ）に送信するため、記憶部１０１の発光パターン領域１０１ｂにコマンド“７”を設定する。このとき、親機（発光型分煙ボード１０ａ）は、当該情報に基づき、子機＃３（発光型分煙ボード１０ｄ）に対応する遊技台３０が大当たり状態にあることを検出できる。
【００５２】
図１１に、親機として動作する発光型分煙ボード１０ａが、記憶部１０１の発光パターン領域１０１ｂに格納されたパターンを検索して「７」あるいは「８」のコマンドを検出（大当たりあるいは予備入力信号検出時）した場合に、該当の子機＃３（発光型分煙ボード１０ｄ）に光を流すアピール発光処理の一例を示す。
【００５３】
図１１に示す発光パターンによれば、親機（発光型分煙ボード１０ａ）が、発光パターン領域１０１ｂ内において、子機＃３（発光型分煙ボード１０ｄ）の発光パターンとしてコマンド「７」、「８」のいずれかを検出すると、親機（発光型分煙ボード１０ａ）と子機＃６（発光型分煙ボード１０ｇ）によるレインボー色の発光に始まり（図１１（ａ））、子機＃１（発光型分煙ボード１０ｂ）と子機＃５（発光型分煙ボード１０ｆ）（図１１（ｂ））、子機＃２（発光型分煙ボード１０ｃ）と子機＃４（発光型分煙ボード１０ｅ）（図１１（ｃ））、子機＃３（発光型分煙ボード１０ｄ）（図１１（ｄ））の順で、レインボー色による発光パターンを収束させる大当たりのためのアピール発光処理を実現できる。このとき、子機＃１〜＃６（発光型分煙ボード１０ｂ〜１０ｇ）の制御部１００は、親機（発光型分煙ボード１０ａ）、あるいは前段に設置された発光型分煙ボード１０から伝播されるトークンをそれぞれ書き換えることで、都度、書き換え前の発光パターンによる発光を行う。
【００５４】
図１２（ａ）、（ｂ）、（ｃ）、（ｄ）、（ｅ）、（ｆ）、（ｇ）に、大当たり信号に依存せず、前段に設置された発光型分煙ボード１０からのトークンによるアピール発光処理の他の例が示されている。ここでは、親機（発光型分煙ボード１０ａ）から子機＃１〜＃６（発光型分煙ボード１０ｂ〜１０ｇ）に向かって、順次、レインボー色による発光パターンを流す例が示されている。この場合も図１１に示すアピール発光処理と同様、子機＃１〜＃６（発光型分煙ボード１０ｂ〜１０ｇ）は、親機（発光型分煙ボード１０ａ）あるいは前段に設置された発光型分煙ボード１０から伝播されるトークンを書き換え、都度、書き換え前の発光パターンによる発光を行うことにより実現される。
【００５５】
実施例２の発光型分煙ボード１０によれば、シリアル信号線１３が、終端に設置された発光型分煙ボード１０ｇから先頭に設置された発光型分煙ボード１０ａにトークンを折り返して送信するループ１３ｂを有することで、制御部１００が、当該シリアル信号線１３（１３ａ，１３ｂ）を介し、後段に設置された発光型分煙ボード１０にトークンを巡回させる。そして、自らが親機として動作する発光型分煙ボード１０ａであれば、ループ１３ｂを介して受信されたトークンから子機として動作する発光型分煙ボード１０ｂ〜１０ｇを認識し、子機として動作する発光型分煙ボード１０ｂ〜１０ｇのいずれからか大当たり信号又は操作入力信号を受信すると、子機として動作する発光型分煙ボード１０ｂ〜１０ｇの発光パターンの設定を個別に変更する。
【００５６】
このことにより、制御部１００は、入力部１０３により取り込まれた発光パターンにしたがい、発光部１０２に対し、前段に設置された発光型分煙ボード１０と同期した発光を繰り返し実行させる制御を行うことができる。したがって、ホールに設置された遊技台の中から強化機種をアピールする、あるいは同じ島に設置された全ての発光型分煙ボードの発光パターンを同期して表示させる等、柔軟性、拡張性が高く、より高い演出効果を実現することができる。
【００５７】
また、シリアル信号線１３（１３ａ，１３ｂ）に接続された発光型分煙ボード１０のそれぞれは、大当たり信号あるいは操作入力信号の受信に依存することなく、前段に設置された発光型分煙ボード１０からシリアル信号線１３（１３ａ，１３ｂ）を介して受信したトークンに応じて発光パターンを個別に変更することができ、このことにより、例えば、図１１に発光パターンを示すように、大当たりや予備入力信号検出時、最終的に該当の発光型分煙ボード１０に光を収束させ、あるいは、図１２に発光パターンを示すように、島の先頭に設置された発光型分煙ボード１０ａから終端に設置された発光型分煙ボード１０ｇに向かってレインボー色で発光した光を流す等、アピールのために多様な発光パターンを表示させることができ、より高い演出効果を発揮できる。
【００５８】
なお、本実施形態に係る発光型分煙ボード１０によれば、発光型分煙ボード１０自らが発光パターンを設定する例についてのみ例示したが、台間機２０、図示省略したホールコンピュータ、あるいはインテリジェントハブ等と連携して制御することで、より拡張したシステム構築が可能である。
【００５９】
以上、具体的な実施形態に基づいて本発明を説明したが、本発明の技術的範囲は上記実施形態に限定されないことは言うまでもない。具体的な上記実施形態に、多様な変更又は改良を加えることが可能であることは当業者にとって明らかであり、その様な変更又は改良を加えた形態も本発明の技術的範囲に含まれるものであることは、特許請求の範囲の記載から明らかである。
【符号の説明】
【００６０】
１０（１０ａ，１０ｂ，・・・１０ｎ）・・・発光型分煙ボード、１３（１３ａ）・・・シリアル信号線、１３ｂ・・・ループ、２０・・・台間機、３０（３０ａ，３０ｂ，・・・３０ｎ）・・・遊技台、４０・・・呼出ランプ、５０・・・分配器、１００・・・制御部、１０１・・・記憶部、１０１ａ・・・フラグ領域、１０１ｂ・・・発光パターン領域、１０２・・・発光部、１０３・・・入力部、１０４・・・出力部
【図１】
2018114176.tif 000003
【図２】
2018114176.tif 000004
【図３】
2018114176.tif 000005
【図４】
2018114176.tif 000006
【図５】
2018114176.tif 000007
【図６】
2018114176.tif 000008
【図７】
2018114176.tif 000009
【図８】
2018114176.tif 000010
【図９】
2018114176.tif 000011
【図１０】
2018114176.tif 000012
【図１１】
2018114176.tif 000013
【図１２】
2018114176.tif 000014